(57)【要約】【課題】従来の封筒は一回きりで、例え受取人Ａと差出人Ｂの住所名称がそれぞれ換わってないのに、返信することができない。資源が浪費し、手間がかかり、ごみも増える、これを解決することは本発明が解決しようとする課題とした。【解決手段】本発明は、同一封筒に切手（或いは郵便局又は専門業者の料金承認章）の提示箇所を使い回数に応じて増やして設け、送り先の設定することが二回以上できることによって課題を解決する。【選択図】図１
2015078013.tif 000002
【特許請求の範囲】
【請求項１】
複数の選択できる送り先が載せる、これに対応して切手（或いは郵便局又は専門業者の料金承認章）の提示箇所を複数に設ける。決めた送り先に目印を付けって送付することができる複数回使える封筒。
【請求項２】
〔請求項１〕において、二回目以上の封緘口にワンタッチテープを付き、二回目以後の封緘が剥離紙を剥がすだけでできる封筒。
【請求項３】
〔請求項２〕において、送り先目印を開封用切り取り線の外側に設け、その切り取り線に沿って開封すると次回の送り先目印が自動的に一番はしに出る封筒。
【発明の詳細な説明】
【技術分野】
【０００１】  本発明は、封筒において、同一封筒で二回以上使える文具に関する。
【背景技術】
【０００２】従来の封筒は、差出人の住所名称と送り先の住所名称があって、切手（或いは郵便局又は専門業者の料金承認章）があって、差出人がこのような封筒を封緘して郵便物として送り出すと、郵便局又は専門業者が料金確認した上、送り先へ送付することになる。常識では、送り先が受け取った封筒を開封して、再び封緘して差出人に返信することができない、返信なら改めて別の封筒を用意しなければならばいこと。本発明はその常識を覆して、同一封筒を再び封緘しても差出人に返信することができること。過去に本発明と類似する出願はありませんでした。
【発明の概要】
【発明が解決しようとする課題】
【０００３】解決しようとする問題点は、差出人の住所名称と送り先の住所名称がそれぞれ換わってないのに、返信することができないことによって、資源が浪費し、手間がかかるし、ごみがも増えること、これを解決することは本発明が解決しようとする課題とした。
【課題を解決するための手段】
【０００４】本発明は、同一封筒に切手（或いは郵便局又は専門業者の料金承認章）の提示箇所を使い回数に応じて増やして設け、送り先の設定することが二回以上できることによって課題を解決する。
【発明の効果】
【０００５】本発明は、同一封筒で二回以上使えることで、資源の節約とごみの減量に繋がる効果がある。
【図面の簡単な説明】
【０００６】
【図１】二回使え、必要な情報を片面に設け、送り先設定欄のある本発明の封筒の示す図（図１）と二回使う状態示す図である（図２）（図３）。
【図２】複数の送り先に対応して区別明白な記号と前記の記号に対応する指図する目印を設け、二回使え、必要な情報を片面に設ける（図１）（図２）と必要な情報を両面に設ける（図３）（図４）本発明の封筒の示す図。
【図３】上記〔図２〕の（図３）（図４）が示す封筒の、二回使う状態示す図である。（図１）（図２）は一回目、（図２）（図３）は二回目。
【図５】二回使え、必要な情報を両面に設ける本発明の封筒の構造示す（図１）（図２）と二回使う状態示す図（図１）（図２）（図３）（図４）である。
【図６】三回使え、必要な情報を片面に設ける本発明の封筒の説明と使う状態示す図である（図１）（図２）（図３）（図４）。
【図７】三回使え、必要な情報を片面に設け、封筒の受取人が送り先を決定する本発明の封筒の説明と使う状態示す図である（図１）（図２）（図３）（図４）
【発明を実施するための形態】
【０００７】発明を実施するためには、封筒に複数の送り先の提示することができる、又は今回今現在の送り先への指図ができることは発明を実施するための最良の一形態である。
【実施例】
【０００８】〔図１〕の示すように、封筒の片面に送り先設定欄１７を設け、封筒のはしに切り取り線６と切り取り線６の内側（はしの反対側）に位置するにワンタッチテープ１８を設け（図１）、送り先設定欄１７に一回目の送り先るを設定して送り出す（図２）、受け取った封筒にもう一度送り先るを設定すると、二回目の郵送ができること。【０００９】〔図２〕の示すように、基本情報を封筒の片面に設ける（図１）（図２）封筒と封筒の両面に設ける（図３）（図４）封筒の実施例であること。複数の送り先に対応して記号３，４、をと切り取り線６を設け、記号３，４対応して取り線６両側に指図する目印５，７を設けること。折返片８で一回目の封緘、剥離紙１１を剥がすと二回目の封緘することができる。はしに一番近い目印有効で指図することで、一回目の送り先はＡ、切り取り線６にそって封筒を切ると二回目の送り先はＢになること。【００１０】〔図３〕のように、はしに一番近い目印７の指示に従って郵便物がＡのところに届く（図１）（図２）、Ａは切り取り線６に沿って切り取ると、はしに一番近い目印は二回目送り先に届く目印５になるため、同一封筒を二回目封緘用粘着層１０によって再び封緘して送り出すと、郵便物がＢのところに届くようになること（図２）（図３）。【００１１】〔図４〕のように、切り取り線６に沿って切り取ると料金証明２が切り取られ、その分の料金が用済みことをより判り易くなること（図１）（図２）（図３）。【００１２】〔図５〕のように、必要な基本情報を封筒の二面にそれぞれ設け、はしに一番近い目印７の指示に従って郵便物がＡのところに届く（図１）（図２）、Ａは切り取り線６に沿って切り取ると、はしに一番近いのは二回目送り先に届く目印５になるため、郵便物がＢのところに届くようになること（図３）（図４）。【００１３】〔図６〕のように、同一封筒を三回使えるように料金証明を三箇所、送り先を三箇所を設け、又は二回目切り取り線１５の内側に三回目封緘用粘着層１７と剥離紙１８を設け（図１）、はしに一番近い目印の順番に従って郵便物が順番でＡＢＣのところに届くようになること（図２）（図３）（図４）。【００１４】〔図７〕のように、上記〔図６〕において、一回目の送り先以外は受取人によって送り先を決めることができること（図１）（図２）（図３）（図４）。
【産業上の利用可能性】
【００１５】各政府機関、企業団体、さまざまな組織が今まで、又はこれからも大量の郵便物を送り先に送り、そして送り先から返信を求めている。そのため大量の返信用封筒を用いられている（使われてない部分も多いにあるはず）。本発明は、このような返信用封筒をなくしても、送り先からの返信ができるため、返信用封筒の送付必要がなくなる。本発明は、政府機関、企業団体、組織にとって同じ効果でコストが下がり、社会にとって資源の節約とごみの減量に繋がる、というような効果があるため、産業上の利用可能性が大きい。
【符号の説明】
【００１６】１．料金証明順番
２．料金証明
３．送り先区別記号
４．送り先区別記号
５．二回目送り先への目印
６．切り取り線
７．一回目送り先への目印
８．一回目封緘用折返片
９．封筒本体
１０．二回目封緘用粘着層
１１．剥離紙
１２．料金用済み目印
１３．封筒の三回目の送り先
１４．三回目送り先への目印
１５．二回目切り取り線
１６．受取人が決める送り先
１７．送り先設定欄
１８．ワンタッチテープ
【図１】
2015078013.tif 000003
【図２】
2015078013.tif 000004
【図３】
2015078013.tif 000005
【図４】
2015078013.tif 000006
【図５】
2015078013.tif 000007
【図６】
2015078013.tif 000008
【図７】
2015078013.tif 000009
【手続補正書】
【提出日】平成25年11月28日(2013.11.28)
【手続補正１】
【補正対象書類名】明細書
【補正対象項目名】０００６
【補正方法】変更
【補正の内容】
【０００６】
【図１】二回使え、必要な情報を片面に設け、送り先設定欄のある本発明の封筒の示す図（図１）と二回使う状態示す図である（図２）（図３）。
【図２】複数の送り先に対応して区別明白な記号と前記の記号に対応する指図する目印を設け、二回使え、必要な情報を片面に設ける（図１）（図２）と必要な情報を両面に設ける（図３）（図４）本発明の封筒の示す図。
【図３】上記〔図２〕の（図３）（図４）が示す封筒の、二回使う状態示す図である。（図１）（図２）は一回目、（図２）（図３）は二回目。
【図４】料金証明２を上下位置に２箇所に設ける封筒の図（図１）と、一回目開封した状態示す図（図２）と、二回目開封前の状態示す図（図３）である。
【図５】二回使え、必要な情報を両面に設ける本発明の封筒の構造示す（図１）（図２）と二回使う状態示す図（図１）（図２）（図３）（図４）である。
【図６】三回使え、必要な情報を片面に設ける本発明の封筒の説明と使う状態示す図である（図１）（図２）（図３）（図４）。
【図７】三回使え、必要な情報を片面に設け、封筒の受取人が送り先を決定する本発明の封筒の説明と使う状態示す図である（図１）（図２）（図３）（図４）。